(57)【要約】【課題】データトラックを構成する記録磁性部が非記録部によって物理的に分離された構造の記録層を備えた磁気ディスクにおいて、不都合なく高記録密度化を図る。【解決手段】本発明の磁気ディスク１は、下層記録層１３１および上層記録層１３２が積層された２層構造の記録層１３を備え、下層記録層１３１および上層記録層１３２は、ディスク周方向に沿って同心円状のデータトラックを構成するように形成された記録磁性部１３１Ａ，１３２Ａと、ディスク径方向に隣接する記録磁性部１３１Ａ，１３２Ａを物理的に分離するように形成された非記録部１３１Ｂ，１３２Ｂと、を有するように構成されている。上層記録層１３２に形成された記録磁性部１３２Ａは、下層記録層１３１に形成された記録磁性部１３１Ａに対してディスク面内方向において重ならないようにディスク径方向にずれた位置に設けられている。【選択図】図２
2009015945.tif 000002
【特許請求の範囲】
【請求項１】
下層記録層および上層記録層が積層された２層構造の記録層を備え、
前記下層記録層および上層記録層は、それぞれ、ディスク周方向に沿って同心円状のデータトラックを構成するように形成された記録磁性部と、ディスク径方向に隣接する前記記録磁性部を物理的に分離するように形成された非記録部と、を有するように構成された磁気ディスクであって、
前記上層記録層に形成された記録磁性部は、前記下層記録層に形成された記録磁性部に対してディスク面内方向において重ならない位置に設けられていることを特徴とする、磁気ディスク。
【請求項２】
前記下層記録層の厚さは、前記上層記録層の厚さよりも大きい、請求項１に記載の磁気ディスク。
【請求項３】
前記下層記録層の記録磁性部および前記上層記録層の記録磁性部は、ＣｏＣｒＰｔを含むグラニュラ膜から構成されており、
前記下層記録層の記録磁性部におけるＰｔの組成比は、前記上層記録層の記録磁性部におけるＰｔの組成比よりも小さい、請求項１ないし２のいずれかに記載の磁気ディスク。
【請求項４】
前記下層記録層および上層記録層のうちのいずれか一方にのみトラッキング制御に用いられるサーボ領域が設けられている、請求項１ないし３のいずれかに記載の磁気ディスク。
【請求項５】
前記上層記録層の非記録部は、ディスク径方向に隣接する記録磁性部間に形成された溝部からなる、請求項１ないし４のいずれかに記載の磁気ディスク。
【請求項６】
下層記録層および上層記録層が積層された２層構造の記録層を備えた磁気ディスクと、この磁気ディスクに対してデータの読み書きをそれぞれ独立して行うためのリード素子およびライト素子を有する磁気ヘッドと、を備えた磁気ディスク装置であって、
前記磁気ディスクの前記下層記録層および上層記録層は、それぞれ、ディスク周方向に沿って同心円状のデータトラックを構成するように形成された記録磁性部と、ディスク径方向に隣接する前記記録磁性部を物理的に分離するように形成された非記録部と、を有するように構成され、前記上層記録層に形成された記録磁性部は、前記下層記録層に形成された記録磁性部に対してディスク面内方向において重ならない位置に設けられており、
前記磁気ヘッドは、通電による発熱に起因する熱膨張でリード素子およびライト素子を突出させるためのヒータを備えることを特徴とする、磁気ディスク装置。
【発明の詳細な説明】
【技術分野】
【０００１】
本発明は、ハードディスクなどの記憶装置を構成するための磁気ディスク、およびこの磁気ディスクを備えた磁気ディスク装置に関する。
【背景技術】
【０００２】
ハードディスクなどの記憶装置を構成するための記録媒体として、磁気ディスク（磁気記録媒体）が知られている。磁気ディスクは、ディスク基板と所定の磁性構造を有する記録層とを含む積層構造を有する。コンピュータシステムにおける情報処理量の増大に伴い、磁気ディスクについては高記録密度化ないし大容量化の要求が高まっている。
【０００３】
磁気ディスクへのデータ記録に際しては、磁気ディスクの記録面に対して記録用の磁気ヘッドが近接配置（浮上配置）され、当該磁気ヘッドにより、記録層に対し、その保磁力より強い記録磁界が印加される。磁気ディスクに対して磁気ヘッドを相対移動させつつ磁気ヘッドからの記録磁界の向きを順次反転させることにより、記録層のデータ記録領域において、磁化方向が順次反転する複数の記録マーク（磁区）がディスク周方向に連なって形成される。このとき、記録磁界方向を反転させるタイミングが制御されることにより、各々に所定の長さで記録マークが形成される。このようにして、記録層において、磁化方向の変化として所定のデータが記録される。
【０００４】
また、磁気ディスクの技術分野においては、高記録密度化を図るのに好ましい媒体として、ディスクリートトラックメディア（ＤＴＭ）が知られている（例えば、特許文献１を参照）。ＤＴＭにおいては、記録層中に記録磁性部からなるデータトラックが形成され、隣接するデータトラックが非磁性材料あるいは溝からなる非記録部によって物理的に分離された構造のデータ領域を有する。このようにトラックが分離された構成によれば、記録時には隣接するデータトラックへの書き込みにより記録済みのデータが消失ないし劣化するというクロスライト現象が抑制され、再生時には隣接するデータトラックからの余分な信号を読み込んでしまうというクロストーク現象が抑制され、隣接トラック間での干渉を低減することができる。
【０００５】
ＤＴＭにおいて高記録密度化（大容量化）に際してトラック密度をさらに高めようとすると、例えば媒体プロセスが困難になるという不都合があった。
【０００６】
【特許文献１】特開２００６−７９８０５号公報
【発明の開示】
【発明が解決しようとする課題】
【０００７】
本発明は、上記した事情のもとで考え出されたものであって、データトラックを構成する記録磁性部が非記録部によって物理的に分離された構造の記録層を備えた磁気ディスクにおいて、不都合なく高記録密度化を図ることを目的とする。
【課題を解決するための手段】
【０００８】
上記課題を解決するため、本発明では、次の技術的手段を講じている。
【０００９】
本発明の第１の側面によって提供される磁気ディスクは、下層記録層および上層記録層が積層された２層構造の記録層を備え、当該下層記録層および上層記録層は、それぞれ、ディスク周方向に沿って同心円状のデータトラックを構成するように形成された記録磁性部と、ディスク径方向に隣接する前記記録磁性部を物理的に分離するように形成された非記録部と、を有するように構成された磁気ディスクであって、前記上層記録層に形成された記録磁性部は、前記下層記録層に形成された記録磁性部に対してディスク面内方向において重ならないようにディスク径方向にずれた位置に設けられていることを特徴としている。
【００１０】
好ましくは、前記下層記録層の厚さは、前記上層記録層の厚さより大とされている。
【００１１】
好ましくは、前記下層記録層の記録磁性部および前記上層記録層の記録磁性部は、ＣｏＣｒＰｔを含むグラニュラ膜から構成されており、前記下層記録層の記録磁性部におけるＰｔの組成比は、前記上層記録層の記録磁性部におけるＰｔの組成比よりも小とされている。
【００１２】
好ましくは、前記下層記録層および上層記録層のうちのいずれか一方にのみトラッキング制御に用いられるサーボ領域が設けられている。
【００１３】
好ましくは、前記上層記録層の非記録部は、ディスク径方向に隣接する記録磁性部間に形成された溝部からなる。
【００１４】
本発明の第２の側面によれば、磁気ディスク装置が提供される。この磁気ディスク装置は、下層記録層および上層記録層が積層された２層構造の記録層を備えた磁気ディスクと、この磁気ディスクに対してデータの読み書きをそれぞれ独立して行うためのリード素子およびライト素子を有する磁気ヘッドと、を備えた磁気ディスク装置であって、前記磁気ディスクの前記下層記録層および上層記録層は、それぞれ、ディスク周方向に沿って同心円状のデータトラックを構成するように形成された記録磁性部と、ディスク径方向に隣接する前記記録磁性部を物理的に分離するように形成された非記録部と、を有するように構成され、前記上層記録層に形成された記録磁性部は、前記下層記録層に形成された記録磁性部に対してディスク面内方向において重ならない位置に設けられており、前記磁気ヘッドは、通電による発熱に起因する熱膨張でリード素子およびライト素子を突出させるためのヒータを備えることを特徴としている。
【００１５】
本発明のその他の特徴および利点は、添付図面を参照して以下に行う詳細な説明によって、より明らかとなろう。
【発明を実施するための最良の形態】
【００１６】
以下、本発明の好ましい実施の形態を、図面を参照して具体的に説明する。
【００１７】
図１は、本発明に係る磁気ディスク１を含んで構成された磁気ディスク装置の一例を示す全体斜視図であり、図２は、図１の磁気ディスク１のディスク径方向に沿った部分拡大断面図である。磁気ディスク装置Ｘは、磁気ディスク１、磁気ヘッド２、スピンドルモータ３、スイングアーム４、アクチュエータ５、およびディスクコントローラ６を備えて構成されている。磁気ディスク１は、その複数枚が所定の間隔を空けて上下に重ねられており、各磁気ディスク１は、表裏両面が記録面とされている。磁気ヘッド２は、磁気ディスク１に対してデータを読み書きするものであり、磁気ディスク１の記録面と対向するように各スイングアーム４の先端に設けられている。スピンドルモータ３は、磁気ディスク１を高速回転させるためのものである。スイングアーム４は、磁気ヘッド２を磁気ディスク１の略径方向に往復移動させるものであり、アクチュエータ５によって敏速に動作させられる。アクチュエータ５は、例えばボイスコイルモータなどからなる。ディスクコントローラ６は、磁気ヘッド２、スピンドルモータ３、ならびにアクチュエータ５を駆動制御するものであり、ＣＰＵやメモリなどを備えたマイクロコンピュータ、あるいはマイクロコンピュータと同等の機能を備えたワイヤードロジック回路で構成される。
【００１８】
図２に示すように、磁気ディスク１は、ディスク基板１１、軟磁性層１２、および記録層１３を含む積層構造を有し、ディスクリートトラックメディアとして構成されたものである。
【００１９】
ディスク基板１１は、主に、磁気ディスク１の剛性を確保するための部位であり、例えば、アルミニウム合金、またはガラスよりなる。
【００２０】
軟磁性層１２は、記録時等に稼働する磁気ヘッドからの磁束を再び当該磁気ヘッドに還流させる磁路をディスク内に効率よく形成するためのものであり、高透磁率を有して大きな飽和磁化を有するとともに小さな保磁力を有する軟磁性材料よりなる。軟磁性層１２を構成するための軟磁性材料としては、例えば、ＣｏＺｒＮｂ、ＦｅＣ、ＦｅＮｉ、ＦｅＣｏＢ、ＦｅＣｏＳｉＣ、およびＦｅＣｏ−ＡｌＯが挙げられる。軟磁性層１２の厚さは例えば２０〜１００ｎｍである。
【００２１】
記録層１３は、下層記録層１３１と上層記録層１３２とが積層された２層構造とされている。下層記録層１３１は、複数の記録磁性部１３１Ａおよび複数の非記録部１３１Ｂを有する。記録磁性部１３１Ａは、ディスク周方向に沿って同心円状に配置され、垂直磁気異方性を有してデータトラックを構成する。記録磁性部１３１Ａの構成材料としては、主成分としてＣｏを含む磁性材料を採用するのが好ましい。そのような磁性材料としては、例えばＣｏＣｒＰｔ−ＳｉＯ2を挙げることができ、ＣｏＣｒＰｔ合金の組成比は、例えばＣｏ75〜85Ｃｒ5〜15Ｐｔ10である。当該磁性材料は、垂直磁気異方性を有するグラニュラ構造をとり得る。非記録部１３１Ｂは、所定の非磁性材料が充填された部位であり、記録磁性部１３１Ａ間に介在する。非記録部１３１Ｂを構成する非磁性材料としては、例えばＳｉＯ2を挙げることができる。このように、下層記録層１３１においては、隣接するデータトラックとしての記録磁性部１３１Ａは非記録部１３１Ｂによって物理的に分離されており、これら記録磁性部１３１Ａおよび非記録部１３１Ｂにより、ユーザデータを記録するためのデータ領域が構成される。なお、下層記録層１３１の各部の寸法の一例を挙げると、厚さが１５〜２０ｎｍ程度、トラックピッチＴｐが５０〜２００ｎｍ程度、記録磁性部１３１Ａのディスク径方向の幅が２０〜９５ｎｍ程度、非記録部１３１Ｂのディスク径方向の幅が３０〜１０５ｎｍ程度であり、非記録部１３１Ｂの幅は、記録磁性部１３１Ａの幅よりも大とされている。
【００２２】
上層記録層１３２は、複数の記録磁性部１３２Ａおよび複数の非記録部１３２Ｂを有する。記録磁性部１３２Ａは、下層記録層１３１の記録磁性部１３１Ａと同様の材料で構成され、かつ、同様の構造とされており、垂直磁気異方性を有してデータトラックを構成する。ただし、記録磁性部１３２Ａの構成材料（ＣｏＣｒＰｔ合金）におけるＰｔの組成比は、下層記録層１３１の記録磁性部１３１ＡのＣｏＣｒＰｔ合金におけるＰｔの組成比よりも大とされている。記録磁性部１３２ＡにおけるＣｏＣｒＰｔ合金の組成比は、例えばＣｏ65〜75Ｃｒ5〜15Ｐｔ20である。非記録部１３２Ｂは、記録磁性部１３２Ａの間に位置する溝部からなる。非記録部１３２Ｂには、下層記録層１３１の非記録部１３１Ｂと異なり、非磁性材料が充填されていない。非記録部１３２Ｂのディスク径方向の幅は、記録磁性部１３２Ａのディスク径方向の幅よりも大とされている。また、記録磁性部１３２Ａは、下層記録層１３１の記録磁性部１３１Ａに対し、ディスク径方向においてトラックピッチＴｐの半分ずれて位置している。これにより、記録磁性部１３２Ａは、記録磁性部１３１Ａに対してディスク面内方向において重ならない位置に設けられている。また、上層記録層１３２の厚さは、下層記録層１３１の厚さよりも小とされている。なお、上層記録層１３２の各部の寸法の一例を挙げると、厚さが１０〜１５ｎｍ程度、記録磁性部１３２Ａの幅が２０〜９５ｎｍ程度、非記録部１３２Ｂの幅が３０〜１０５ｎｍ程度である。
【００２３】
上層記録層１３２にはまた、磁気ヘッド２のトラッキング制御に用いられる図示しないサーボ領域が形成されている。当該サーボ領域は、磁性部および非磁性部からなる所定の磁気パターンが作り込まれたものであり、磁気ディスク１におけるデータの記録再生の際には、サーボ領域において得られた各種信号に基づいて磁気ヘッド２のディスク径方向への位置決めがなされる。
【００２４】
このような構成の磁気ディスク１は、例えばスタンパを用いたナノインプリントリソグラフィ法によって製造される。ナノインプリントリソグラフィ法においては、まず、スタンパを作製する。スタンパの作製においては、例えば基板上のレジスト膜に電子ビーム描画装置によって所定パターンを露光形成した後、当該レジスト膜に現像処理を施してレジストパターンを形成する。次に、このレジストパターンをマスクとして上記基板にＲＩＥなどのドライエッチングを施して凹部を形成し、レジストパターンを除去する。これにより、所定パターンの凹部を有する基板（スタンパの原盤）が得られる。次に、当該基板に対して電鋳処理を行うことにより、ニッケルなどの金属からなるスタンパが得られる。スタンパの表面には、上記基板の凹凸形状が転写されており、上記基板の凹部に対応する箇所において凸部が形成される。本実施形態においては、上記の方法により、磁気ディスク１の下層記録層１３１を形成するための下層用スタンパと、上層記録層１３２を形成するための上層用スタンパとが作製される。これらスタンパは、非磁性化させる部位（非記録部１３１Ｂ，１３２Ｂ、およびサーボ領域の非磁性部）を凸部とする所定の凹凸パターンを有する。
【００２５】
次いで、ディスク基板１１上に軟磁性層１２、および下層記録層１３１となるべき磁性膜を、例えばスパッタリング法により順次積層形成し、当該磁性膜上に第１のレジストを塗布する。次いで、上記下層用スタンパを加熱状態のレジストに押圧することにより、当該スタンパの凹凸パターンがレジストに転写される。ここで、下層用スタンパの凸部に対応する部位のレジストが除去され、磁性膜表面が部分的に露出する。次いで、転写後のレジストパターンをマスクとして例えばドライエッチング施すことにより、磁性膜には、非記録部１３１Ｂとなるべき部位に凹部が形成される。次いで、例えばスパッタリング法等により上記凹部に非磁性材料を埋め戻し、レジストパターンを除去して磁性膜の表面を平坦化する。このようにして、上記凹部に非磁性材料が充填された非記録部１３１Ｂと、磁性膜の残存部分によって形成された記録磁性部１３１Ａとを含む下層記録層１３１が形成される。
【００２６】
次いで、下層記録層１３１上に上層記録層１３２となるべき追加の磁性膜を例えばスパッタリング法により形成し、当該磁性膜上に追加のレジストを塗布する。次いで、上記上層用スタンパを加熱状態のレジストに押圧することにより、当該スタンパの凹凸パターンがレジストに転写される。ここで、上層用スタンパの凸部に対応する部位のレジストが除去され、磁性膜表面が部分的に露出する。次いで、転写後のレジストパターンをマスクとして例えばドライエッチングを施すことにより、磁性膜には、非記録部１３２Ｂおよびサーボ領域の非磁性部となるべき部位に凹部が形成される。次いで、レジストパターンを除去して磁性膜の表面を平坦化する。このようにして、上記凹部である非記録部１３２Ｂおよびサーボ領域の非磁性部と、磁性膜の残存部分によって形成された記録磁性部１３２Ａおよびサーボ領域の磁性部と、を含む上層記録層１３２が形成される。次いで、例えば上層記録層１３２および下層記録層１３１上に保護膜や潤滑剤膜を形成することにより、磁気ディスク１を得ることができる。このように磁気ディスク１の製造においては、下層用スタンパおよび上層用スタンパの２種類のスタンパを用い、２段階の工程を経ることにより、磁気特性の異なる下層記録層１３１と上層記録層１３２とを適切に形成することができる。
【００２７】
図３は、磁気ヘッド２の概略構造を示すディスク周方向に沿った部分拡大断面図である。磁気ヘッド２は、データの記録再生をそれぞれ独立して行うライト素子２１およびリード素子２２と、ヒータ２３とを備える。ヒータ２３は、例えば絶縁体中に埋設されたコイル２３１と熱膨張素子２３２とを有し、コイル２３１には、図示しない制御部での制御によって所定の電流が流れるように構成されている。熱膨張素子２３２は、その周囲に比べて熱膨張率の高い材料で構成されており、コイル２３１への通電による発熱（ジュール熱）に起因して熱膨張するように構成されている。ライト素子２１およびリード素子２２は、図３において仮想線で表すように、当該熱膨張によって突出する。
【００２８】
磁気ディスク１におけるデータの記録再生に際しては、磁気ディスク１の回転にともない磁気ディスク１の記録面に対して磁気ヘッド２が浮上配置される。上層記録層１３２に対する記録再生時には、上記サーボ領域において得られた各種信号に基づいて磁気ヘッド２の位置を補正しながら所定の記録磁性部１３２Ａの中心（トラック中心）に追従させるトラッキング制御がなされる。そして、記録時には、磁気ヘッド２のライト素子２１による記録磁界の印加によって、所定の記録磁性部１３２Ａに複数の記録マークがディスク周方向に連なって形成され、再生時には、リード素子２２によって取得した記録磁性部１３２Ａからの磁気信号を処理することにより再生信号が得られる。
【００２９】
下層記録層１３１に対する記録再生時には、上記の上層記録層１３２におけるトラッキング制御に対し、磁気ヘッド２の位置をトラックピッチＴｐの半分相当量だけディスク径方向にオフトラックさせることにより、磁気ヘッド２は下層記録層１３１の記録磁性部１３１Ａの中心に追従させられる。そして、上記上層記録層１３２の場合と同様にして、磁気ヘッド２のライト素子２１またはリード素子２２を介して、記録磁性部１３１Ａのデータの記録または再生が行われる。このとき、磁気ヘッド２のヒータ２３のコイル２３１に通電されることにより、図４に示すようにライト素子２１およびリード素子２２がこれらに対向する記録磁性部１３１Ａに近接するように突出させられる。
【００３０】
本実施形態の磁気ディスク１においては、記録層１３が下層記録層１３１および上層記録層１３２が積層された２層構造とされているため、記録密度を高めることができ、磁気ディスク１の大容量化を達成することができる。また、上層記録層１３２の記録磁性部１３２Ａと、下層記録層１３１の記録磁性部１３１Ａとは、ディスク面内方向に重ならないように物理的に分離されて設けられている。このため、記録磁性部１３１Ａ，１３２Ａへの記録時において、近接する記録磁性部１３２Ａ，１３１Ａに対し、漏れ磁界の影響によるクロスライト現象の発生を防止することができる。
【００３１】
磁気ディスク１においては、下層記録層１３１の厚さが上層記録層１３２の厚さよりも大とされているため、下層記録層１３１の記録磁性部１３１Ａは上層記録層１３２の記録磁性部１３２Ａよりも飽和磁束密度が大きくなる。また、下層記録層１３１の記録磁性部１３１ＡにおけるＰｔの組成比が上層記録層１３２の記録磁性部１３２ＡにおけるＰｔの組成比よりも小とされているので、記録磁性部１３１Ａは、記録磁性部１３２Ａよりも保磁力が小さくなる。磁気ディスク装置Ｘにおいては、下層記録層１３１が上層記録層１３２に比べて磁気ヘッド２から離間して位置し、磁気ヘッド２のライトおよびリード素子２１，２２から下層記録層１３１までの距離（下層記録層１３１の磁気スペーシング）が大きくなるところ、上述のように下層記録層１３１の記録磁性部１３１Ａが相対的に高飽和磁束密度・低保磁力を有するので、下層記録層１３１についても安定した記録再生特性を維持することができる。
【００３２】
加えて、磁気ディスク装置Ｘにおいては、下層記録層１３１に対する記録再生時には、磁気ヘッド２のヒータ２３の作用により、ライトおよびリード素子２１，２２が突出し、下層記録層１３１の磁気スペーシングが低減する。このことは、磁気ディスクの高記録密度化および記録再生特性の安定化を図るうえで好適である。なお、下層記録層１３１に対する記録再生時に磁気ヘッド２と下層記録層１３１との間に位置する上層記録層１３２の非記録部１３２Ｂは溝部からなるため、ライトおよびリード素子２１，２２が突出しても非記録部１３２Ｂと干渉することはない。
【００３３】
図５は、本発明に係る磁気ディスクの他の例を示している。図５においては、上記実施形態と同一または類似の要素には、上記実施形態と同一の符号を付しており、適宜説明を省略する。
【００３４】
図５に示された磁気ディスク１’においては、下層記録層１３１と上層記録層１３２’とは、同様の構成とされている。すなわち、上層記録層１３２’においては、非記録部１３２Ｂ’は非磁性材料が充填された構成とされている。下層記録層１３１の厚さと上層記録層１３２’の厚さは、実質的に同一とされている。
【００３５】
このような構成によれば、磁気ディスク１’の製造においては、下層記録層１３１の形成および上層記録層１３２’の形成について同一の工程となる。
【００３６】
磁気ディスク１’においては、下層記録層１３１の磁気スペーシングが上層記録層１３２’の磁気スペーシングよりも大きくなるので、下層記録層１３１に対して上層記録層１３２’の場合と同一条件で記録再生を行っても安定した記録再生を行うのが困難となる可能性がある。かかる問題に対しては、記録時に下層記録層１３１の記録磁性部１３１Ａへの記録周波数を上層記録層１３２’の記録磁性部１３２Ａへの記録周波数よりも小さくし、記録磁性部１３１Ａに形成される各記録マークの長さを長くすることにより、再生時には、下層記録層１３１の記録磁性部１３１Ａからも十分な磁気信号を得ることができる。この場合、下層記録層１３１からの信号と上層記録層１３２’からの信号とが混在しても、周波数帯域分離によってこれらの信号を分離することができる。
【００３７】
以上、本発明の実施形態を説明したが、本発明の技術的範囲は上記した実施形態に限定されるものではない。本発明に係る磁気ディスクおよび磁気ディスク装置の各部の具体的な構成は、発明の思想から逸脱しない範囲内で種々な変更が可能である。
【図面の簡単な説明】
【００３８】
【図１】本発明に係る磁気ディスクを含んで構成された磁気ディスク装置の一例を示す全体斜視図である。
【図２】図１に示す磁気ディスクの部分拡大断面図である。
【図３】磁気ヘッドの概略構造を示す部分拡大断面図である。
【図４】図２に示す磁気ディスクにおける記録再生時の説明図である。
【図５】本発明に係る磁気ディスクの他の例を示す部分拡大断面図である。
【符号の説明】
【００３９】
Ｘ          磁気ディスク装置
１，１’    磁気ディスク
２          磁気ヘッド
３          スピンドルモータ
４          スイングアーム
５          アクチュエータ
６          ディスクコントローラ
１１        ディスク基板
１２        軟磁性層
１３        記録層
２１        ライト素子
２２        リード素子
２３        ヒータ
１３１      下層記録層
１３１Ａ      記録磁性部（下層記録層の）
１３１Ｂ      非記録部（下層記録層の）
１３２，１３２’      上層記録層
１３２Ａ      記録磁性部（上層記録層の）
１３２Ｂ，１３２Ｂ’      非記録部（上層記録層の）
【図１】
2009015945.tif 000003
【図２】
2009015945.tif 000004
【図３】
2009015945.tif 000005
【図４】
2009015945.tif 000006
【図５】
2009015945.tif 000007